(57)【要約】  特定の態様は、第１のアクセスポイントが１つまたは複数のワイヤレスデバイスの第１のグループと通信するためのインターバルの第１のスケジュールを決定することと、ここにおいて、第１のスケジュールのインターバルは、１つまたは複数のワイヤレスデバイスの第１のグループのウェイクアップまたは送信サイクルと同期される、および第１のスケジュールに従って、１つまたは複数のワイヤレスデバイスの第１のグループと通信することと、を備える、第１のアクセスポイントによるワイヤレス通信のための方法を提供する。
2015531562.tif 000002
【特許請求の範囲】
【請求項１】
第１のアクセスポイントによるワイヤレス通信のための方法であって、
前記第１のアクセスポイントが１つまたは複数のワイヤレスデバイスの第１のグループと通信するためのインターバルの第１のスケジュールを決定することと、ここにおいて、前記第１のスケジュールのインターバルは、１つまたは複数のワイヤレスデバイスの前記第１のグループのウェイクアップまたは送信サイクルと同期される、
前記第１のスケジュールに従って、１つまたは複数のワイヤレスデバイスの前記第１のグループと通信すること
を備える、方法。
【請求項２】
前記第１のスケジュールのインターバルは、サブフレームに対応する、請求項１に記載の方法。
【請求項３】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のアクセスポイントの第２のグループは、インターバルの第２のスケジュールに従って、ワイヤレスデバイスの第２のグループと通信する、請求項１に記載の方法。
【請求項４】
前記第１のスケジュールおよび前記第２のスケジュールのインターバルは、重複しない、請求項３に記載の方法。
【請求項５】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のアクセスポイントの第２のグループは、前記第１のスケジュールとは異なる、インターバルの第２のスケジュールに従って、１つまたは複数のワイヤレスデバイスの前記第１のグループと通信する、請求項１に記載の方法。
【請求項６】
前記第１のアクセスポイントは、
前記第１のスケジュールに従って、１つまたは複数のワイヤレスデバイスの前記第１のグループと通信し、
前記第１のスケジュールとは異なる、インターバルの第２のスケジュールに従って、ワイヤレスデバイスの第２のグループと通信する、
アクセスポイントの第１のグループの一部分である、請求項１に記載の方法。
【請求項７】
１つまたは複数のワイヤレスデバイスの前記第１のグループは、マシン型通信（ＭＴＣ）デバイスを備え、
ワイヤレスデバイスの前記第２のグループは、非ＭＴＣデバイスを備える、請求項６に記載の方法。
【請求項８】
アクセスポイントの前記第１のグループは、
チャネルのセットを使用して、前記非ＭＴＣデバイスと通信し、
前記チャネルのセットの低減されたサブセットを使用して、前記ＭＴＣデバイスと通信する、請求項７に記載の方法。
【請求項９】
一次同期シーケンス（ＰＳＳ）、二次同期シーケンス（ＳＳＳ）、物理ブロードキャストチャネル（ＰＢＣＨ）、システム情報ブロック（ＳＩＢ）、および前記ＭＴＣデバイスに関連付けられたページングのうちの少なくとも１つは、より大きい平均および捕捉時間を有する、請求項８に記載の方法。
【請求項１０】
ＰＳＳ、ＳＳＳ、ＰＢＣＨ、およびＳＩＢのうちの前記少なくとも１つは、前記ＭＴＣデバイスと通信するために割り当てられたサブフレームで送信される、請求項９に記載の方法。
【請求項１１】
ＰＳＳ、ＳＳＳ、ＰＢＣＨ、およびＳＩＢのうちの前記少なくとも１つは、前記ＭＴＣデバイスと通信するために割り当てられたサブフレームでより高い密度を有する、請求項９に記載の方法。
【請求項１２】
前記より高い密度は、反復、バンドリング、およびより低い符号化率のうちの少なくとも１つの結果である、請求項１１に記載の方法。
【請求項１３】
ＰＳＳ、ＳＳＳ、ＰＢＣＨ、およびＳＩＢのうちの前記少なくとも１つは、次の、非ＭＴＣデバイスへ同じタイプの信号を送信するために使用されたのとは異なる、時間、周波数、シーケンス、フォーマット、スクランブリング、ペイロードサイズ、またはコンテンツのうちの少なくとも１つを使用して送信される、請求項１０に記載の方法。
【請求項１４】
前記第１のアクセスポイントは、ユーザ機器（ＵＥ）中継器、ピコセル、オープンフェムトセル、遠隔無線ヘッド（ＲＲＨ）、およびＭＴＣハブのうちの少なくとも１つを備える、少なくとも１つの低電力ノード（ＬＰＮ）を備える、請求項１に記載の方法。
【請求項１５】
前記第１のアクセスポイントは、前記第１のスケジュールに従って、１つまたは複数のワイヤレスデバイスの前記第１のグループと通信するアクセスポイントのグループの一部分であり、
前記グループ内の少なくとも１つのアクセスポイントは、ダウンリンク上で１つまたは複数のワイヤレスデバイスの前記第１のグループと通信し、少なくとも１つの異なるアクセスポイントは、アップリンク上で１つまたは複数のワイヤレスデバイスの前記第１のグループと通信する、請求項１に記載の方法。
【請求項１６】
前記第１のスケジュールの前記インターバルのサブセットは、ページングのために使用されるサブフレームに対応する、請求項２に記載の方法。
【請求項１７】
１つまたは複数のワイヤレスデバイスの前記第１のグループは、マシン型通信（ＭＴＣ）デバイスを備え、
前記ページングは、ＭＴＣシステム情報（ＳＩ）変更を運ぶために使用され、ここにおいて、前記ＭＴＣ ＳＩ変更は、非ＭＴＣ ＳＩ変更とは異なる、請求項１６に記載の方法。
【請求項１８】
地震および津波警戒システム／コマーシャルモバイル警告システム（ＥＴＷＳ／ＣＭＡＳ）についてのページングのためのＭＴＣデバイスの第１のクラスからの応答は、ＭＴＣデバイスおよび非ＭＴＣデバイスの第２のクラスからの応答とは異なる、請求項７に記載の方法。
【請求項１９】
前記第１のアクセスポイントは、前記第１のスケジュールに従って、１つまたは複数のワイヤレスデバイスの前記第１のグループと通信する１つまたは複数のアクセスポイントの第１のグループの一部分であるマクロ基地局を備え、
前記第１のスケジュールの前記インターバルは、サブフレームに対応し、
前記第１のアクセスポイントは、ワイヤレスデバイスが１つまたは複数のアクセスポイントの前記第１のグループ内で、より近いアクセスポイントを発見するのを可能にするために、同期信号を有するサブフレームに対応するインターバルのための送信電力を、他のインターバルのための送信電力に対して低減する、請求項１に記載の方法。
【請求項２０】
前記第１のアクセスポイントは、同期信号に対応するインターバルについての送信電力を、１つまたは複数のアクセスポイントの前記第１のグループ内で他の基地局によって使用される送信電力と同じまたは類似した送信電力に低減する、請求項１に記載の方法。
【請求項２１】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のワイヤレスデバイスの前記第１のグループのワイヤレスデバイスとのアソシエーションの間、前記第１のアクセスポイントは、１つまたは複数のアクセスポイントの前記第１のグループ内の他のアクセスポイントと共同アップリンク受信を行う、請求項１に記載の方法。
【請求項２２】
１つまたは複数のワイヤレスデバイスの前記第１のグループの前記ワイヤレスデバイスは、１つまたは複数のアクセスポイントの前記第１のグループに関連付けられた仮想セル識別（ＶＣＩＤ）を有するアップリンク送信とのアソシエーションを行う、請求項２１に記載の方法。
【請求項２３】
前記ＶＣＩＤをアドバタイズすること
をさらに備える、請求項２２に記載の方法。
【請求項２４】
前記第１のアクセスポイントは、前記第１のスケジュールに従って、１つまたは複数のワイヤレスデバイスの前記第１のグループと通信する１つまたは複数のアクセスポイントの第１のグループの一部分であり、
前記第１のスケジュールのインターバルは、サブフレームに対応し、
１つまたは複数のアクセスポイントの前記第１のグループ内の各アクセスポイントは、前記第１のスケジュールの１つまたは複数のサブフレーム内で同じ信号を送信する、請求項１に記載の方法。
【請求項２５】
マルチメディアブロードキャスト単一周波数ネットワーク（ＭＢＳＦＮ）サブフレームとして、前記第１のスケジュールの前記インターバルをアドバタイズすること
をさらに備える、請求項２４に記載の方法。
【請求項２６】
非ＭＴＣデバイスのための制限されたサブフレームとして、前記第１のスケジュールの前記インターバルをアドバタイズすること
をさらに備える、請求項２４に記載の方法。
【請求項２７】
ＭＴＣ送信サブフレームとして、前記第１のスケジュールの前記インターバルをアドバタイズすることをさらに備える、請求項２４に記載の方法。
【請求項２８】
１つまたは複数のアクセスポイントの前記第１のグループは、１つまたは複数のワイヤレスデバイスの前記第１のグループへメッセージを送信するための第１のＳＦＮエリアを形成し、
１つまたは複数のアクセスポイントの前記第１のグループは、１つまたは複数のワイヤレスデバイスの前記第１のグループを含む、ワイヤレスデバイスのより大きなグループへメッセージを送信するための、前記第１のＳＦＮエリアよりも大きい第２のＳＦＮエリアを形成するために、１つまたは複数のアクセスポイントの第２のグループと組み合わせられる、請求項２４に記載の方法。
【請求項２９】
前記第１のＳＦＮエリアは、ユニキャストメッセージを送信するために使用され、
前記第２のＳＦＮエリアは、ソフトウェアおよびファームウェアアップデートのうちの少なくとも１つを備えるブロードキャストメッセージを通信するために使用される、請求項２８に記載の方法。
【請求項３０】
第１のアクセスポイントによるワイヤレス通信のための装置であって、
前記第１のアクセスポイントが１つまたは複数のワイヤレスデバイスの第１のグループと通信するためのインターバルの第１のスケジュールを決定するための手段と、ここにおいて、前記第１のスケジュールのインターバルは、１つまたは複数のワイヤレスデバイスの前記第１のグループのウェイクアップまたは送信サイクルと同期される、
前記第１のスケジュールに従って、１つまたは複数のワイヤレスデバイスの前記第１のグループと通信するための手段と
を備える、装置。
【請求項３１】
前記第１のスケジュールのインターバルは、サブフレームに対応する、請求項３０に記載の装置。
【請求項３２】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のアクセスポイントの第２のグループは、インターバルの第２のスケジュールに従って、１つまたは複数のワイヤレスデバイスの第２のグループと通信する、請求項３０に記載の装置。
【請求項３３】
前記第１のスケジュールおよび前記第２のスケジュールのインターバルは、重複しない、請求項３２に記載の装置。
【請求項３４】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のアクセスポイントの第２のグループは、前記第１のスケジュールとは異なる、インターバルの第２のスケジュールに従って、１つまたは複数のワイヤレスデバイスの前記第１のグループと通信する、請求項３０に記載の装置。
【請求項３５】
前記第１のアクセスポイントは、
前記第１のスケジュールに従って、１つまたは複数のワイヤレスデバイスの前記第１のグループと通信し、
前記第１のスケジュールとは異なる、インターバルの第２のスケジュールに従って、ワイヤレスデバイスの第２のグループと通信する、
アクセスポイントの第１のグループの一部分である、請求項３０に記載の装置。
【請求項３６】
１つまたは複数のワイヤレスデバイスの前記第１のグループは、マシン型通信（ＭＴＣ）デバイスを備え、
ワイヤレスデバイスの前記第２のグループは、非ＭＴＣデバイスを備える、請求項３５に記載の装置。
【請求項３７】
アクセスポイントの前記第１のグループは、
チャネルのセットを使用して、前記非ＭＴＣデバイスと通信し、
前記チャネルのセットの低減されたサブセットを使用して、前記ＭＴＣデバイスと通信する、請求項３６に記載の装置。
【請求項３８】
一次同期シーケンス（ＰＳＳ）、二次同期シーケンス（ＳＳＳ）、物理ブロードキャストチャネル（ＰＢＣＨ）、システム情報ブロック（ＳＩＢ）、および前記ＭＴＣデバイスに関連付けられたページングのうちの少なくとも１つは、より大きい平均および捕捉時間を有する、請求項３７に記載の装置。
【請求項３９】
ＰＳＳ、ＳＳＳ、ＰＢＣＨ、およびＳＩＢのうちの前記少なくとも１つは、前記ＭＴＣデバイスと通信するために割り当てられたサブフレームで送信される、請求項３８に記載の装置。
【請求項４０】
ＰＳＳ、ＳＳＳ、ＰＢＣＨ、およびＳＩＢのうちの前記少なくとも１つは、前記ＭＴＣデバイスと通信するために割り当てられたサブフレームでより高い密度を有する、請求項３８に記載の装置。
【請求項４１】
前記より高い密度は、反復、バンドリング、およびより低い符号化率のうちの少なくとも１つの結果である、請求項４０に記載の装置。
【請求項４２】
ＰＳＳ、ＳＳＳ、ＰＢＣＨ、およびＳＩＢのうちの前記少なくとも１つは、非ＭＴＣデバイスへ同じタイプの信号を送信するために使用されるのとは異なる、時間、周波数、シーケンス、フォーマット、スクランブリング、ペイロードサイズ、またはコンテンツのうちの少なくとも１つを使用して送信される、請求項３９に記載の装置。
【請求項４３】
前記第１のアクセスポイントは、ユーザ機器（ＵＥ）中継器、ピコセル、オープンフェムトセル、遠隔無線ヘッド（ＲＲＨ）、およびＭＴＣハブのうちの少なくとも１つを備える、少なくとも１つの低電力ノード（ＬＰＮ）を備える、請求項３０に記載の装置。
【請求項４４】
前記第１のアクセスポイントは、前記第１のスケジュールに従って、１つまたは複数のワイヤレスデバイスの前記第１のグループと通信するアクセスポイントのグループの一部分であり、
前記グループ内の少なくとも１つのアクセスポイントは、ダウンリンク上でワイヤレスデバイスの前記第１のグループと通信し、少なくとも１つの異なるアクセスポイントは、アップリンク上で１つまたは複数のワイヤレスデバイスの前記第１のグループと通信する、請求項３０に記載の装置。
【請求項４５】
前記第１のスケジュールの前記インターバルのサブセットは、ページングのために使用されるサブフレームに対応する、請求項３１に記載の装置。
【請求項４６】
１つまたは複数のワイヤレスデバイスの前記第１のグループは、マシン型通信（ＭＴＣ）デバイスを備え、
前記ページングは、ＭＴＣシステム情報（ＳＩ）変更を運ぶために使用され、ここにおいて、前記ＭＴＣ ＳＩ変更は、非ＭＴＣ ＳＩ変更とは異なる、請求項４５に記載の装置。
【請求項４７】
地震および津波警戒システム／コマーシャルモバイル警告システム（ＥＴＷＳ／ＣＭＡＳ）についてのページングのためのＭＴＣデバイスの第１のクラスからの応答は、ＭＴＣデバイスおよび非ＭＴＣデバイスの第２のクラスからの応答とは異なる、請求項３６に記載の装置。
【請求項４８】
前記第１のアクセスポイントは、前記第１のスケジュールに従って、１つまたは複数のワイヤレスデバイスの前記第１のグループと通信する１つまたは複数のアクセスポイントの第１のグループの一部分であるマクロ基地局を備え、
前記第１のスケジュールの前記インターバルは、サブフレームに対応し、
前記第１のアクセスポイントは、ワイヤレスデバイスが１つまたは複数のアクセスポイントの前記第１のグループ内で、より近いアクセスポイントを発見するのを可能にするために、同期信号を有するサブフレームに対応するインターバルのための送信電力を、他のインターバルのための送信電力に対して低減する、請求項３０に記載の装置。
【請求項４９】
前記第１のアクセスポイントは、同期信号に対応するインターバルについての送信電力を、１つまたは複数のアクセスポイントの前記第１のグループ内で他の基地局によって使用された送信電力と同じまたは類似した送信電力に低減する、請求項３０に記載の装置。
【請求項５０】
前記第１のアクセスポイントは、前記第１のスケジュールに従って、１つまたは複数のワイヤレスデバイスの前記第１のグループと通信する１つまたは複数のアクセスポイントの第１のグループの一部分であり、
１つまたは複数のワイヤレスデバイスの前記第１のグループのワイヤレスデバイスとのアソシエーションの間、前記第１のアクセスポイントは、１つまたは複数のアクセスポイントの前記第１のグループ内の他のアクセスポイントと共同アップリンク受信を行う、請求項３０に記載の装置。
【請求項５１】
１つまたは複数のワイヤレスデバイスの前記第１のグループの前記ワイヤレスデバイスは、１つまたは複数のアクセスポイントの前記第１のグループに関連付けられた仮想セル識別（ＶＣＩＤ）を有するアップリンク送信とのアソシエーションを行う、請求項５０に記載の装置。
【請求項５２】
前記ＶＣＩＤをアドバタイズするための手段
をさらに備える、請求項５１に記載の装置。
【請求項５３】
前記第１のアクセスポイントは、前記第１のスケジュールに従って、１つまたは複数のワイヤレスデバイスの前記第１のグループと通信する１つまたは複数のアクセスポイントの第１のグループの一部分であり、
前記第１のスケジュールのインターバルは、サブフレームに対応し、
１つまたは複数のアクセスポイントの前記第１のグループ内の各アクセスポイントは、前記第１のスケジュールの１つまたは複数のサブフレーム内で同じ信号を送信する、請求項３０に記載の装置。
【請求項５４】
マルチメディアブロードキャスト単一周波数ネットワーク（ＭＢＳＦＮ）サブフレームとして、前記第１のスケジュールの前記インターバルをアドバタイズするための手段
をさらに備える、請求項５３に記載の装置。
【請求項５５】
非ＭＴＣデバイスのための制限されたサブフレームとして、前記第１のスケジュールの前記インターバルをアドバタイズするための手段
をさらに備える、請求項５３に記載の装置。
【請求項５６】
ＭＴＣ送信サブフレームとして、前記第１のスケジュールの前記インターバルをアドバタイズするための手段
をさらに備える、請求項５３に記載の装置。
【請求項５７】
１つまたは複数のアクセスポイントの前記第１のグループは、１つまたは複数のワイヤレスデバイスの前記第１のグループへメッセージを送信するための第１のＳＦＮエリアを形成し、
１つまたは複数のアクセスポイントの前記第１のグループは、ワイヤレスデバイスの前記第１のグループを含む、ワイヤレスデバイスのより大きなグループへメッセージを送信するための、前記第１のＳＦＮエリアよりも大きい第２のＳＦＮエリアを形成するために、１つまたは複数のアクセスポイントの第２のグループと組み合わせられる、請求項５３に記載の装置。
【請求項５８】
前記第１のＳＦＮエリアは、ユニキャストメッセージを送信するために使用され、
前記第２のＳＦＮエリアは、ソフトウェアおよびファームウェアアップデートのうちの少なくとも１つを備えるブロードキャストメッセージを通信するために使用される、請求項５７に記載の装置。
【請求項５９】
第１のアクセスポイントによるワイヤレス通信のための装置であって、
前記第１のアクセスポイントが１つまたは複数のワイヤレスデバイスの第１のグループと通信するためのインターバルの第１のスケジュールを決定し、ここにおいて、前記第１のスケジュールのインターバルは、１つまたは複数のワイヤレスデバイスの前記第１のグループのウェイクアップまたは送信サイクルと同期される、
前記第１のスケジュールに従って、１つまたは複数のワイヤレスデバイスの前記第１のグループと通信する
ように構成された少なくとも１つのプロセッサと、
前記少なくとも１つのプロセッサに結合されたメモリと
を備える、装置。
【請求項６０】
第１のアクセスポイントによるワイヤレス通信のためのコンピュータプログラム製品であって、前記コンピュータプログラム製品は、
前記第１のアクセスポイントが１つまたは複数のワイヤレスデバイスの第１のグループと通信するためのインターバルの第１のスケジュールを決定し、ここにおいて、前記第１のスケジュールのインターバルは、１つまたは複数のワイヤレスデバイスの前記第１のグループのウェイクアップまたは送信サイクルと同期される、
前記第１のスケジュールに従って、１つまたは複数のワイヤレスデバイスの前記第１のグループと通信する
ためのコードを有する、コンピュータ読み取り可能な媒体
を備える、前記コンピュータプログラム製品。
【発明の詳細な説明】
【関連出願の相互参照】
【０００１】
[0001]  本願は、２０１２年９月１２日に出願された、米国特許仮出願番号第６１／７００，２４０号の利益を主張する、それは、その全内容において参照により本明細書に組み込まれる。
【技術分野】
【０００２】
[0002]  本開示の特定の態様は、一般に、ワイヤレス通信に関し、より具体的には、ワイヤレスネットワークにおけるマシン型通信（ＭＴＣ：machine type communication）デバイスのためのカバレッジを向上させる（enhancing）ための方法に関する。
【背景技術】
【０００３】
[0003]  ワイヤレス通信システムは、音声、データなどの様々なタイプの通信コンテンツを提供するために広く展開されている。これらのシステムは、利用可能なシステムリソース（例えば、帯域幅および送信電力など）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）／ＬＴＥアドバンストシステム、および、直交周波数分割多元接続（ＯＦＤＭＡ）システムを含む。
【０００４】
[0004]  一般に、ワイヤレス多元接続通信システムは、複数のワイヤレス端末のための通信を同時にサポートすることができる。各端末は、順方向リンクおよび逆方向リンク上の送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信ネットワークは、多数のデバイスのための通信をサポートすることができる多数の基地局を含み得る。ワイヤレスデバイスは、ユーザ機器（ＵＥ：user equipment）および遠隔デバイスを備える。ＵＥは、人間による直接の制御の下で動作するデバイスである。ＵＥのいくつかの例は、セルラフォン、スマートフォン、携帯情報端末（ＰＤＡ）、ワイヤレスモデム、ハンドヘルドデバイス、ラップトップコンピュータ、タブレット、ネットブック、スマートブック、ウルトラブックなどを含む。遠隔デバイスは、人間によって直接的に制御されることなく動作するデバイスである。遠隔デバイスのいくつかの例は、センサ、メータ、モニタ、ロケーションタグなどを含む。遠隔デバイスは、基地局、別の遠隔デバイス、またはいくつかの他のエンティティと通信し得る。マシン型通信（ＭＴＣ）は、通信の少なくとも一端の、少なくとも１つの遠隔デバイスを含む通信を指す。
【発明の概要】
【０００６】
[0006]  本開示の特定の態様は、第１のアクセスポイントによる無線通信のための方法を提供する。方法は、一般に、第１のアクセスポイントが１つまたは複数のワイヤレスデバイスの第１のグループと通信するためのインターバルの第１のスケジュールを決定することと、ここにおいて、第１のスケジュールのインターバルは、１つまたは複数のワイヤレスデバイスの第１のグループのウェイクアップ（wake up）または送信サイクルと同期される、第１のスケジュールに従って、１つまたは複数のワイヤレスデバイスの第１のグループと通信することと、を含む。
【０００７】
[0007]  本開示の特定の態様は、第１のアクセスポイントによるワイヤレス通信のための装置を提供する。装置は、一般に、第１のアクセスポイントが１つまたは複数のワイヤレスデバイスの第１のグループと通信するためのインターバルの第１のスケジュールを決定するための手段と、ここにおいて、第１のスケジュールのインターバルは、１つまたは複数のワイヤレスデバイスの第１のグループのウェイクアップまたは送信サイクルと同期される、第１のスケジュールに従って、１つまたは複数のワイヤレスデバイスの第１のグループと通信するための手段と、を含む。
【０００８】
[0008]  本開示の特定の態様は、第１のアクセスポイントによるワイヤレス通信のための装置を提供する。装置は、一般に、少なくとも１つのプロセッサと、少なくとも１つのプロセッサに結合されたメモリとを含む。少なくとも１つのプロセッサは、一般に、第１のアクセスポイントが１つまたは複数のワイヤレスデバイスの第１のグループと通信するためのインターバルの第１のスケジュールを決定し、ここにおいて、第１のスケジュールのインターバルは、１つまたは複数のワイヤレスデバイスの第１のグループのウェイクアップまたは送信サイクルと同期される、第１のスケジュールに従って、１つまたは複数のワイヤレスデバイスの第１のグループと通信するように構成される。
【０００９】
[0009]  本開示の特定の態様は、第１のアクセスポイントによるワイヤレス通信のためのコンピュータプログラム製品を提供する。コンピュータプログラム製品は、一般に、第１のアクセスポイントが１つまたは複数のワイヤレスデバイスの第１のグループと通信するためのインターバルの第１のスケジュールを決定し、ここにおいて、第１のスケジュールのインターバルは、１つまたは複数のワイヤレスデバイスの第１のグループのウェイクアップまたは送信サイクルと同期される、第１のスケジュールに従って、１つまたは複数のワイヤレスデバイスの第１のグループと通信するためのコードを有するコンピュータ読み取り可能な媒体を含む。
【図面の簡単な説明】
【００１０】
【図１】[0010]  図１は、本開示の特定の態様に従った、ワイヤレス通信ネットワークの例を概念的に図示するブロック図である。
【図２】[0011]  図２は、本開示の特定の態様に従った、ワイヤレス通信ネットワークにおいてユーザ機器（ＵＥ）と通信している基地局の例を概念的に図示するブロック図を示す。
【図３】[0012]  図３は、本開示の態様に従った、ワイヤレス通信ネットワークにおけるフレーム構造の例を概念的に図示するブロック図である。
【図４】[0013]  図４は、本開示の特定の態様に従った、ワイヤレスネットワークにおけるＭＴＣデバイスのためのカバレッジを向上させるための動作の例を図示する。
【図５】[0014]  図５は、本開示の特定の態様に従った、ＭＴＣデバイスのための基地局（ＢＳ）の超高密度配置（hyper dense deployment）を含む、階層アーキテクチャ（tiered architecture）を図示する。
【図６Ａ】[0015]  図６Ａは、本開示の特定の態様に従った、同期動作を図示する。
【図６Ｂ】[図６Ｂは、本開示の特定の態様に従った、同期動作を図示する。
【図７】[0016]  図７は、本開示の特定の態様に従った、マクロＢＳおよび複数の低電力ノード（ＬＰＮ）による共同アップリンク受信（joint uplink reception）を図示する。
【図８】[0017]  図８は、本開示の特定の態様に従った、異なる単一周波数ネットワーク（ＳＦＮ：single frequency network）エリアのためのＳＦＮ送信を図示する。
【発明を実施するための形態】
【００１１】
[0018]  本開示の特定の態様は、一般に、ワイヤレス通信に関し、より具体的には、ワイヤレスネットワークにおけるマシン型通信（ＭＴＣ）デバイスのためのカバレッジを向上させるための方法に関する。本開示の特定の態様は、ＤＬ（ダウンリンク）およびＵＬ（アップリンク）信号の両方に対して追加のリンクバジェット（extra link budget）（例えば、２０ｄＢ）を利用可能にし、複数のワイヤレスデバイスのウェイクアップおよび送信サイクルを同期させることによって電力消費を低く保つための技法を提供する。
【００１２】
[0019]  本明細書で説明される技法は、ＣＤＭＡ、ＴＤＭＡ、ＦＤＭＡ、ＯＦＤＭＡ、ＳＣ−ＦＤＭＡ、および他のネットワークのような、様々なワイヤレス通信ネットワークに使用され得る。「ネットワーク」および「システム」という用語は、しばしば区別なく使用される。ＣＤＭＡネットワークは、ユニバーサル地上無線アクセス（ＵＴＲＡ：universal terrestrial radio access）、ｃｄｍａ２０００などのような無線技術を実装し得る。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ｃｄｍａ２０００は、ＩＳ−２０００規格、ＩＳ−９５規格、およびＩＳ−８５６規格をカバーする。ＴＤＭＡネットワークは、グローバルシステムフォーモバイルコミュニケーションズ（ＧＳＭ（登録商標）：global system for mobile communications）のような無線技術を実装し得る。ＯＦＤＭＡネットワークは、発展型ＵＴＲＡ（Ｅ−ＵＴＲＡ：evolved UTRA）、ウルトラモバイルブロードバンド（ＵＭＢ：ultra mobile broadband）、ＩＥＥＥ ８０２．１１（Ｗｉ−Ｆｉ）、ＩＥＥＥ ８０２．１６（ＷｉＭａｘ）、ＩＥＥＥ８０２．２０、Ｆｌａｓｈ−ＯＦＤＭ（登録商標）などのような無線技術を実装し得る。ＵＴＲＡおよびＥ−ＵＴＲＡは、ユニバーサルモバイルテレコミュニケーションシステム（ＵＭＴＳ）の一部分である。周波数分割複信（ＦＤＤ）および時分割複信（ＴＤＤ）の両方において、３ＧＰＰロングタームエボリューションおよびＬＴＥ−アドバンスト（ＬＴＥ−Ａ）は、Ｅ−ＵＴＲＡを使用するＵＭＴＳの新たなリリースであり、ダウンリンクではＯＦＤＭＡを、アップリンクではＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名づけられた団体からの文書内で説明されている。ｃｄｍａ２０００およびＵＭＢは、「第３世代パートナーシッププロジェクト２」（３ＧＰＰ２）と名づけられた団体からの文書内で説明されている。本明細書で説明される技法は、上述されたワイヤレスネットワークおよび無線技法、並びに、他のワイヤレスネットワークおよび無線技法に対して使用され得る。明瞭さのために、この技法の特定の態様は、ＬＴＥ／ＬＴＥアドバンスト（集合的に「ＬＴＥ」と呼ばれる）に関して説明され、ＬＴＥ用語が下の記述の大部分で使用される。さらに、「または」という用語は、排他的な「または」というよりはむしろ包括的な「または」を意味するように意図される。すなわち、そうではないと明記されるか、文脈から明確でない限り、例えば「ＸはＡまたはＢを用いる」というフレーズは、本質的に包括的な順列のうち任意のものを意味するように意図されている。すなわち、例えば「ＸはＡまたはＢを用いる」というフレーズは、ＸはＡを用いる、ＸはＢを用いる、またはＸはＡおよびＢの両方を用いる、のうちのいずれかの事例によって満たされる。加えて、「ａ」および「ａｎ」といった冠詞は、本明細書および添付の特許請求の範囲において使用される場合、一般に、そうではないと明記されない限り、または、単数形を指していることが文脈から明らかでない限り、「１つまたは複数」を意味するものと解釈されるべきである。
【００１３】
[0020]  図１は、ＬＴＥネットワークまたはいくつかの他のワイヤレスネットワークであり得る、ワイヤレス通信ネットワーク１００を示す。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、また、基地局、ノードＢ、アクセスポイントなどと呼ばれ得る。いくつかの構成において、ＵＥは、ｅＮＢとしてサービス（serve）し得る。各ｅＮＢは、特定の地理的エリアに対して通信カバレッジを提供し得る。３ＧＰＰでは、「セル（cell）」という用語は、用語が使用されるコンテキストに依存して、このカバレッジエリアにサービスするｅＮＢおよび／またはｅＮＢサブシステムのカバレッジエリアを指し得る。
【００１４】
[0021]  ｅＮＢは、マクロセル、ピコセル、フェムトセル、および／または他のタイプのセルに対して通信カバレッジを提供し得る。マクロセルは、比較的大きな地理的エリア（例えば、半径数キロ）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、ホーム）をカバーし、このフェムトセルと関連性のあるＵＥ（例えば、クローズド加入者グループ（ＣＳＧ：closed subscriber group）のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ １１０ａは、マクロセル１０２ａのためのマクロｅＮＢであり、ｅＮＢ １１０ｂは、ピコセル１０２ｂのためのピコｅＮＢであり、ｅＮＢ １１０ｃは、フェムトセル１０２ｃのためのフェムトｅＮＢであり得る。ｅＮＢは、１つまたは複数の（例えば、３つの）セルをサポートし得る。「ｅＮＢ」、「基地局」および「セル」という用語は、本明細書において区別なく使用され得る。
【００１５】
[0022]  ワイヤレスネットワーク１００はまた、中継局を含み得る。中継局は、アップストリーム局（例えば、ｅＮＢまたはＵＥ）からのデータの送信を受信し、ダウンストリーム局（例えば、ＵＥまたはｅＮＢ）へのデータの送信を送ることができるエンティティである。中継局はまた、他のＵＥのための送信を中継することができるＵＥであり得る。図１に示される例において、中継局１１０ｄは、ｅＮＢ １１０ａとＵＥ１２０ｄとの間の通信を容易にするために、マクロｅＮＢ １１０ａおよびＵＥ１２０ｄと通信し得る。中継局はまた、中継器ｅＮＢ、中継基地局、中継器などと呼ばれ得る。
【００１６】
[0023]  ワイヤレスネットワーク１００は、例えば、マクロｅＮＢ、ピコｅＮＢ、フェムトｅＮＢ、中継器ｅＮＢなどの異なるタイプのｅＮＢを含む、異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢが高い送信電力レベル（例えば、５から４０ワット）を有し得る一方、ピコｅＮＢ、フェムトｅＮＢ、および中継器ｅＮＢは、より低い送信電力レベル（例えば、０．１から２ワット）を有し得る。
【００１７】
[0024]  ネットワークコントローラ１３０は、ｅＮＢのセットに結合され、ｅＮＢに対して調整および制御を提供し得る。ネットワークコントローラ１３０は、バックホールを介してｅＮＢと通信し得る。ｅＮＢはまた、例えば、直接的に、あるいはワイヤレスまたはワイヤーラインバックホール（wireless or wireline backhaul）を介して間接的に互いに通信し得る。両矢印付きの実線は、所望された送信を表し、両矢印付きの破線は、干渉している送信を表す。
【００１８】
[0025]  ＵＥ １２０（例えば、１２０ａ、１２０ｂ、１２０ｃ）は、ワイヤレスネットワーク１００中に分散しており、各ＵＥは、固定式または移動式であり得る。ＵＥはまた、アクセス端末、端末、移動局、加入者ユニット、局などとも呼ばれ得る。ＵＥは、セルラフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブックなどであり得る。
【００１９】
[0026]  図２は、図１における基地局／ｅＮＢのうちの１つおよびＵＥのうちの１つであり得る、基地局／ｅＮＢ ２１０およびＵＥ ２２０の設計のブロック図を示す。基地局２１０は、Ｔ本のアンテナ２３４ａ〜２３４ｔを備え、ＵＥ１２０はＲ本のアンテナ２５２ａ〜２５２ｒを備え、ここで、一般に、Ｔ≧１およびＲ≧１であり得る。
【００２０】
[0027]  基地局２１０では、送信プロセッサ２１３は、１つまたは複数のＵＥのためのデータソース２１２からデータを受信し、ＵＥから受信したＣＱＩに基づいて各ＵＥに対して１つまたは複数の変調および符号化方式（ＭＣＳ：modulation and coding scheme）を選択し、ＵＥのために選択されたＭＣＳに基づいて各ＵＥに対してデータを処理（例えば、符号化および変調）し、すべてのＵＥのためにデータシンボルを提供し得る。送信プロセッサ２２０はまた、システム情報（例えば、ＳＲＰＩなどについて）および制御情報（例えば、ＣＱＩリクエスト、許可、上位レイヤシグナリング（upper layer signaling）など）を処理し、オーバヘッドシンボルおよび制御シンボルを提供し得る。プロセッサ２２０はまた、基準信号（例えば、ＣＲＳ）および同期信号（例えば、ＰＳＳおよびＳＳＳ）のための基準シンボルを生成し得る。送信（ＴＸ）多入力多出力（ＭＩＭＯ）プロセッサ２３０は、適用可能であれば、データシンボル、制御シンボル、オーバヘッドシンボル、および／または、基準シンボルに対して空間処理（例えば、プリコーディング）を行い、Ｔ個の出力シンボルストリームをＴ個の変調器（ＭＯＤ）２３２ａ〜２３２ｔに提供し得る。各変調器２３２は、出力サンプルストリームを取得するために、それぞれの出力シンボルストリーム（例えば、ＯＦＤＭなどのための）を処理し得る。各変調器２３２は、ダウンリンク信号を取得するために、出力サンプルストリームをさらに処理（例えば、アナログ変換、増幅、フィルタリング、およびアップコンバート）し得る。変調器２３２ａ〜２３２ｔからのＴ個のダウンリンク信号は、Ｔ個のアンテナ２３４ａ〜２３４ｔを介してそれぞれ送信され得る。
【００２１】
[0028]  ＵＥ ２２０では、アンテナ２５２ａ〜２５２ｒは、基地局２１０および／または他の基地局からダウンリンク信号を受信し、復調器（ＤＥＭＯＤ）２５４ａ〜２５４ｒに受信した信号をそれぞれ提供し得る。各復調器２５４は、入力サンプルを取得するために、その受信した信号を調整（例えば、フィルタリング、増幅、ダウンコンバート、およびデジタル化）し得る。各復調器２５４は、受信したシンボルを取得するために、入力サンプル（例えば、ＯＦＤＭなどのための）をさらに処理する。ＭＩＭＯ検出器２５６は、Ｒ個すべての復調器２５４ａ〜２５４ｒからの受信したシンボルを取得し、適用可能であれば、受信したシンボルに対してＭＩＭＯ検出を実行し、検出されたシンボルを提供し得る。受信プロセッサ２５８は、検出されたシンボルを処理（例えば、復調、および復号）し、ＵＥ ２２０のための復号されたデータをデータシンク２６０に提供し、復号された制御情報およびシステム情報をコントローラ／プロセッサ２８０に提供し得る。チャネルプロセッサは、ＲＳＲＰ（Reference Signal Received Power：基準信号受信電力）、ＲＳＳＩ（Received Signal Strength Indicator：受信信号強度インジケータ）、ＲＳＲＱ（Reference Signal Received Quality：基準信号受信品質）、ＣＱＩ（Channel Quality Indicator：チャネル品質インジケータ）などを決定し得る。
【００２２】
[0029]  アップリンクにおいて、ＵＥ ２２０では、送信プロセッサ２６４は、データソース２６２からのデータ、およびコントローラ／プロセッサ２８０からの制御情報（例えば、ＲＳＲＰ、ＲＳＳＩ、ＲＳＲＱ、ＣＱＩなどを含む報告のための）を、受信および処理し得る。プロセッサ２６４はまた、１つまたは複数の基準信号のための基準シンボルを生成し得る。送信プロセッサ２６４からのシンボルは、適用可能であれば、ＴＸ ＭＩＭＯプロセッサ２６６によってプリコードされ、変調器２５４ａ〜２５４ｒ（例えば、ＳＣ−ＦＤＭ、ＯＦＤＭなどのための）によってさらに処理され、基地局２１０に送信され得る。基地局２１０では、ＵＥ ２２０からのアップリンク信号および他のＵＥは、アンテナ２３４によって受信され、復調器２３２によって処理され、適用可能であれば、他のＵＥ２２０によって送られた復号されたデータおよび制御情報を取得するために、ＭＩＭＯ検出器４３６によって検出され、受信プロセッサ２３８によってさらに処理され得る。プロセッサ２３８は、復号されたデータをデータシンク２３９に、復号された制御情報をコントローラ／プロセッサ２４０に提供し得る。基地局２１０は、スケジューラ２４４、および通信ユニット（図示されない）を含み、通信ユニットを介してネットワークコントローラ１３０と通信し得る。ネットワークコントローラ１３０は、通信ユニット、コントローラ／プロセッサ、およびメモリを含み得る。
【００２３】
[0030]  コントローラ／プロセッサ２４０および２８０は、基地局２１０およびＵＥ ２２０での動作を、それぞれ指示し得る。プロセッサ２４０および／または他のプロセッサおよび基地局２１０におけるモジュール、ならびに／あるいはプロセッサ２８０および／または他のプロセッサおよびＵＥ ２２０におけるモジュールは、本明細書で説明される技法についての処理を行うか、または指示し得る。メモリ２４２および２８２は、基地局２１０およびＵＥ ２２０のためのデータおよびプログラムコードを、それぞれ記憶し得る。スケジューラ２４４は、ダウンリンクおよび／またはアップリンクでのデータ送信のためにＵＥをスケジューリングし得る。
【００２４】
[0031]  下記のさらなる詳細において説明されるように、ＵＥ ２２０にデータを送信する場合、基地局２１０は、データ割り当てサイズに少なくとも部分的に基づいてバンドリングサイズを決定し、決定されたバンドリングサイズのバンドルされた連続リソースブロックにおいてデータをプリコードし、ここにおいて、各バンドルにおけるリソースブロックは、共通プリコーディングマトリックスでプリコードされるように構成され得る。すなわち、リソースブロック内のＵＥ−ＲＳおよび／またはデータのような基準信号は、同一のプリコーダを使用してプリコードされる。バンドルされたＲＢの各ＲＢにおけるＵＥ−ＲＳのために使用される電力レベルはまた、同じであり得る。
【００２５】
[0032]  ＵＥ ２２０は、基地局２１０から送信されたデータを復号するために相補処理（complementary processing）を行うように構成され得る。例えば、ＵＥ ２２０は、連続リソースブロック（ＲＢ）のバンドルにおける基地局から送信される受信したデータのデータ割り当てサイズに基づいてバンドリングサイズを決定し、ここにおいて、各バンドルにおけるリソースブロック内の少なくとも１つの基準信号は、共通プリコーディングマトリックスでプリコードされ、基地局から送信された１つまたは複数の基準信号（ＲＳ）および決定されたバンドリングサイズに基づいて少なくとも１つのプリコード化チャネルを推定し、推定されたプリコード化チャネルを使用して受信したバンドルを復号するように構成され得る。
【００２６】
[0033]  図３は、ＬＴＥにおけるＦＤＤのための例示的なフレーム構造３００を示す。ダウンリンクおよびアップリンクの各々のための送信タイムラインは、無線フレームの単位に分割され得る。各無線フレームは、所定の持続時間（例えば、１０ミリ秒（ｍｓ））を有し、０から９のインデックスを有する１０個のサブフレームに分割され得る。各サブフレームは、２つのスロットを含み得る。よって、各無線フレームは、０から１９のインデックスを有する２０個のスロットを含み得る。各スロットは、Ｌ個のシンボル期間、例えば、ノーマルサイクリックプリフィックス（normal cyclic prefix）の場合には７個のシンボル期間を（図２に示されるように）、または、拡張サイクリックプリフィックス（extended cyclic prefix）の場合には６個のシンボル期間を含み得る。各サブフレームにおける２Ｌ個のシンボル期間は、０から２Ｌ−１のインデックスを指定され得る。
【００２７】
[0034]  ＬＴＥにおいて、ｅＮＢは、ｅＮＢによってサポートされるセルごとのシステム帯域幅の中心１．０８ＭＨｚのダウンリンク上で一次同期信号（ＰＳＳ：primary synchronization signal）および二次同期信号（ＳＳＳ：secondary synchronization signal）を送信し得る。図３で示されるように、ＰＳＳおよびＳＳＳは、ノーマルサイクリックプリフィックスを用いて各無線フレームのサブフレーム０および５の、シンボル期間６および５においてそれぞれ送信され得る。ＰＳＳおよびＳＳＳは、セルの探索および捕捉のためにＵＥによって使用され得る。ｅＮＢは、ｅＮＢによってサポートされるセルごとのシステム帯域幅にわたるセル固有の基準信号（ＣＲＳ：cell-specific reference signal）を送信し得る。ＣＲＳは、各サブフレームの特定のシンボル期間において送信され、チャネル推定、チャネル品質測定（channel quality measurement）、および／または他の機能を行うためにＵＥによって使用され得る。ｅＮＢはまた、特定の無線フレームのスロット１におけるシンボル期間０から３で物理ブロードキャストチャネル（ＰＢＣＨ：physical broadcast channel）を送信し得る。ＰＢＣＨは、いくつかのシステム情報を搬送し得る。ｅＮＢは、特定のサブフレーム内の物理ダウンリンク共有チャネル（ＰＤＳＣＨ）でシステム情報ブロック（ＳＩＢ）のような他のシステム情報を送信し得る。ｅＮＢは、サブフレームの第１のＢ個のシンボル期間における物理ダウンリンク制御チャネル（ＰＤＣＣＨ）で制御情報／データを送信し、ここで、Ｂ個はサブフレームごとに設定可能であり得る。ｅＮＢは、各サブフレームの残存シンボル期間（remaining symbol periods）におけるＰＤＳＣＨでトラフィックデータおよび／または他のデータを送信し得る。
【００２８】
[0035]  従来のロングタームエボリューション設計の焦点は、スペクトル効率、ユビキタスカバレッジ（ubiquitous coverage）、および向上されたサービス品質（ＱｏＳ）のサポートの改善に関する。これらの改善は、最新式のスマートフォンおよびタブレットなどの、ハイエンドなデバイスをもたらし得る。しかしながら、低コストで低価格なデバイス（low cost low rate devices）も同様に、サポートされる必要がある。例えば、いくつかの市場調査は、低コストデバイスの数がセルフォンの数を大きく上回り得ることを示している。低コストのマシン型通信（ＭＴＣ）の供給に関する考察は、最大帯域幅の低減、単一受信無線周波数（ＲＦ）チェーン（single receive radio-frequency chain）、ピークレートの低減、送信電力の低減、および半二重動作（half duplex operations）を含み得る。
【００２９】
[0036]  一次同期信号／二次同期信号（ＰＳＳ／ＳＳＳ）は、５０４個のユニーク物理セルＩＤ（unique physical cell IDs）のうちのいずれかにシグナリングするように送信され得る。ＰＳＳは、３つの６３長のＣｈｕシーケンス（three length-63 Chu sequences）（例えば、ルートインデックス２５、２９、３４）から選択される。ＳＳＳは、１６８個のセルＩＤグループを搬送するために、２つの３１長のバイナリシーケンス（two length-31 binary sequences）から連結され得る。マスタ情報ブロック（ＭＩＢ）または物理ブロードキャストチャネル（ＰＢＣＨ）は、帯域幅情報を含み得る（例えば、４ビットは、狭帯域動作が使用されるため、ＭＴＣで必要とされない可能性がある）。例えば、ＭＩＢまたはＰＢＣＨは、物理ＨＡＲＱインジケータチャネル（ＰＨＩＣＨ）構成についての情報（例えば、３ビット；継続期間についての１ビット、ＰＨＩＣＨグループについての２ビット）を含み得る。ＰＨＩＣＨ構成についての情報は、新しいキャリアタイプ（ＮＣＴ）について、またはＰＢＣＨサブフレーム）についての固定された制御範囲で必要とされない可能性がある。ＭＩＢまたはＰＢＣＨは、システムフレーム番号（ＳＦＮ）に関する情報を含み得る（例えば、最上位ビット（ＭＢＳ）の８ビット；４０ミリ秒でのＰＢＣＨのブラインド復号からの他の２ビット）。ＳＦＮは、ペイロードにおいて後でシグナリングされ得る。ＭＩＢまたはＰＢＣＨは、アンテナ情報に関する情報を含み得る（例えば、他の信号によって搬送され得る）。ＰＢＣＨ送信は、４つのアンテナポート周辺でマッチングし得る。空間周波数ブロックコード（ＳＦＢＣ）またはＳＦＢＣ周波数切替送信ダイバーシティ（frequency switched transmit diversity）（ＳＦＢＣ−ＦＳＴＤ）は、２つまたは４つのアンテナに対して使用され得る。４つのタイミング仮説（timing hypothesis）と、３つのアンテナ仮説（antenna hypothesis）を組み合わせると、全体で１２のブラインド復号が、現在、ＰＢＣＨ復号で必要とされ得る。
【００３０】
[0037]  ＵＥをページングすることは、RRC_idle状態で起こり得る。ページングは、システム情報（ＳＩ）変更についてアイドル状態および接続状態でＵＥに知らせ得る。加えて、ページングは、地震および津波警戒システム（ＥＴＷＳ：earthquake and tsunami warning system）通知またはコマーシャルモバイル警告サービス（ＣＭＡＳ：commercial mobile alert service）通知について知らせ得る。１つのページングフレームは、１つの無線フレームであり得る。周波数分割複信（ＦＤＤ）について、ページングオケージョン（paging occasion）は、［９］または［４，９］または［０，４，５，９］であり得る。時分割複信（ＴＤＤ）について、ページングオケージョンは、［０］または［０，５］または［０，１，５，６］であり得る。ページング無線ネットワーク一時識別子（Ｐ−ＲＮＴＩ：paging radio network temporary identifier）は、ページングを指示するための、物理ダウンリンク制御チャネル（ＰＤＣＣＨ）をスクランブリングするために使用される。Ｅ−ＵＴＲＡＮは、各ＵＥに対して（例えば、ＵＥアイデンティティを使用して）、１つのページングレコードを含むことによって、ページングメッセージ内の複数のＵＥをアドレスし得る。ページング応答は、一般に、無線リソース制御（ＲＲＣ）接続、システム情報ブロック（ＳＩＢ）アップデート、またはＥＴＷＳ／ＣＭＡＳのためのＳＩＢ再取得（re-acquire SIB for ETWS/CMAS）を含む。
【００３１】
[0038]  ＬＴＥでは、マルチメディアブロードキャストマルチキャストサービス（ＭＢＭＳ：multimedia broadcast multicast service）は、マルチメディアブロードキャストサービス単一周波数ネットワーク（ＳＦＮ：single frequency network）において提供され得る。言い換えると、ＳＦＮによって、同じ信号が複数のノードから送信され得る。ＭＢＭＳのための制御情報は、ＭＢＭＳ共通制御情報（ＭＣＣＨ）のための固有の論理チャネルに提供され得る。MBSFNAreaConfigurationメッセージは、無線リソースのためのＭＣＣＨにおいて搬送され得る。MBMSCountingRequestメッセージは、ＭＢＭＳを受信しているか、またはＭＢＭＳを受信する用意があるRRC_Connected状態のＵＥの数をカウントするために、ＭＣＣＨを搬送し得る。ＭＣＣＨは、ＭＢＭＳ専用のＳＩＢ １３において搬送され得る。マルチキャストチャネル（ＭＣＨ）スケジューリング情報の媒体アクセス制御（ＭＡＣ）エレメント（Multicast channel scheduling information medium access control element）は、スケジューリング期間において、ＭＣＨの第１のサブフレームに含まれ得る。ＭＢＳＦＮのためのサブフレームは、無線フレーム周期／オフセット（例えば、ＦＤＤ：１，２，３，６，７，８およびＴＤＤ：３，４，７，８，９）とともに、ビットマップで構成され得る。ＭＢＳＦＮ基準信号は、物理マルチキャストチャネル（ＰＭＣＨ）が送信される場合にのみ、ＭＢＳＦＮサブフレームにおいて送信され得る。変更通知は、マルチキャストＲＮＴＩを有する共有サーチ空間においてダウンリンク制御情報（ＤＣＩ）フォーマット１Ｃによって搬送される。
【００３２】
[0039]  例えば２０ｄＢまでというように、ＭＴＣデバイス、特に、低減されたカバレッジを有するＭＴＣデバイス（例えば、地下に配置される）について、リンクバジェットの改善の必要性がある。本開示の特定の態様は、低電力消費を維持すると同時に、ＤＬおよびＵＬの両方の信号ための追加のリンクバジェット（例えば、２０ｄＢ）を利用可能にするための技法を提供する。本開示の態様は、ノードがＭＴＣデバイスによって素早く識別され得ることを確実にするための、ネットワーク高密度化技法（network densification techniques）を提供する。ＨｅｔＮｅｔ（異種ネットワーク）配置では、本開示の態様はまた、ベストなＤＬとベストなＵＬとを関連付ける（例えば、最も近いノード）ための技法を提供する。
【００３３】
[0040]  図４は、本開示の特定の態様に従った、ワイヤレスネットワーク（例えば、ＬＴＥ）におけるＭＴＣデバイスのためにカバレッジを向上させるための例示的な動作４００を図示する。動作４００は、例えば、第１のアクセスポイント（基地局）によって行われ得る。４０２では、第１のアクセスポイントは、第１のアクセスポイントが１つまたは複数のワイヤレスデバイスの第１のグループと通信するためのインターバルの第１のスケジュール（例えば、サブフレームに対応する）を決定し、ここにおいて、第１のスケジュールのインターバルは、１つまたは複数のワイヤレスデバイスの第１のグループのウェイクアップまたは送信サイクルと同期される。４０４では、第１のアクセスポイントは、第１のスケジュールに従って、１つまたは複数のワイヤレスデバイスの第１のグループと通信し得る。
【００３４】
[0041]  特定の態様について、第１のアクセスポイントは、第１のスケジュールに従って、ワイヤレスデバイスの第１のグループと通信する１つまたは複数のアクセスポイントの第１のグループの一部分であり、１つまたは複数のアクセスポイントの第２のグループは、インターバルの第２のスケジュールに従って、ワイヤレスデバイスの第２のグループと通信し得る。第１および第２のスケジュールのインターバルは、重複しないこと（non-overlapping）があり得る。
【００３５】
[0042]  特定の態様について、第１のアクセスポイントは、第１のスケジュールに従って、ワイヤレスデバイスの第１のグループと通信する１つまたは複数のアクセスポイントの第１のグループの一部分であり、１つまたは複数のアクセスポイントの第２のグループは、第１のスケジュールとは異なる、インターバルの第２のスケジュールに従って、ワイヤレスデバイスの第１のグループと通信し得る。
【００３６】
[0043]  特定の態様について、第１のアクセスポイントは、第１のスケジュールに従って、ワイヤレスデバイスの第１のグループと通信し、第１のスケジュールとは異なる、インターバルの第２のスケジュールに従って、ワイヤレスデバイスの第２のグループと通信する、アクセスポイントの第１のグループの一部分であり得る。ワイヤレスデバイスの第１のグループは、一般に、ＭＴＣデバイスを含み、ワイヤレスデバイスの第２のグループは、一般に、非ＭＴＣデバイスを含む。
【００３７】
[0044]  図５は、本開示の特定の態様に従った、ＭＴＣデバイスのための基地局（ＢＳ）の高密度配置（dense deployment）を含む、階層アーキテクチャ５００を図示する。階層アーキテクチャ５００は、第１の階層内に、マクロノードおよび向上されたＭＴＣデバイス（ｅＭＴＣ）を含み得る。第２の階層は、一般に、カバレッジエリア５０６内に、ユーザ機器（ＵＥ）中継器、ピコＢＳ、オープンフェムトＢＳ、遠隔無線ヘッド（ＲＲＨ：remote radio heads）、およびＭＴＣ／ｅＭＴＣハブのような、低電力ノードを含む。ｅＭＴＣデバイスのためのこれらのＢＳの配置は、リンクバジェット要求を低減し、電力消費を低減し、またデバイスコストを低減し得る。
【００３８】
[0045]  図６Ａ−Ｂは、本開示の特定の態様に従った、同期動作を図示する。ＭＴＣデバイスのグループは、特定のインターバルでウェイクアップするようにスケジューリングされ、ＬＰＮは、これらのインターバルにマッチングされ得る。特定の態様について、ＬＰＮグループは、図６Ｂで図示されるようにＭＴＣグループに対して１対１でマッピングされ、ここで、例えば、ＬＰＮグループ１およびＭＴＣグループＡは、第１のウェイクアップサイクル６０２ Ｂを有し、ＬＰＮグループ２およびＭＴＣグループＢ（図示されない）は、第２のウェイクアップサイクル６０４ Ｂを有し得る。言い換えると、各ＭＴＣグループは、互いに通信するためのスケジュールに従ってウェイクアップする、ＬＰＮの関連付けられたグループを有し得る。
【００３９】
[0046]  特定の態様について、図６Ａで図示されるように、ＬＰＮグループとＭＴＣグループとの間でＭ対１または１対Ｍのマッピングがあり、ここで、例えば、ＭＴＣグループＡは、ＬＰＮグループ１ ６０８Ａを有する第１のウェイクアップサイクルおよびＬＰＮグループ２ ６１０Ａを有する第２のウェイクアップサイクルに対応する、両方のウェイクアップサイクル６０６Ａを有し得る。言い換えると、ＬＰＮグループ１は、ＭＴＣグループＡがアウェイク（awake）である特定のインターバルの間、ＭＴＣグループＡと通信するためにウェイクアップし、ＬＰＮグループ２は、ＭＴＣグループＡがアウェイクである他のインターバルの間、ＭＴＣグループＡと通信するためにウェイクアップし得る。加えて、複数のＭＴＣグループは、単一のＬＰＮグループに関連付けられ得る。特定の態様において、ＭＴＣグループがウェイクアップする場合、関連付けられたＬＰＮグループは、起動遅延（initiation delay）および電力消費を最小化するためにすでに送信している可能性がある。
【００４０】
[0047]  特定の態様について、ＬＰＮグループは、ＭＴＣデバイスと通信するために第１のスケジュールに従ってウェイクアップし、また非ＭＴＣデバイスと通信するために、第１のスケジュールとは異なる、第２のスケジュールに従ってウェイクアップし得る。ＭＴＣのために同期された送信とともに、ＬＰＮは、具体的にはＭＴＣデバイスを対象にした（targeted）信号を送信し得る。しかしながら、ＬＰＮは、常に「アウェイク（awake）」であり得るが、異なる時間で異なる信号を送信している。例えば、ＭＴＣサブフレーム（例えば、第１のスケジュールのインターバル）では、ＬＰＮは、ＭＴＣデバイスのために特別なＰＳＳ／ＳＳＳ／ＰＢＣＨ信号（例えば、新しい同期信号、ブロードキャスト信号、セル発見信号、特別なＣＳＩ−ＲＳ信号）を送信し得る。ＭＴＣサブフレームでは、ＭＴＣデバイスが、エネルギー節約を可能にし、またより良いカバレッジを提供するために、より素早くループの追跡およびセル捕捉（cell acquisition）などの動作を行うことができるように、送信された信号の密度が増大され得る。他のサブフレーム（例えば、第２のスケジュールのインターバル）では、通常のＰＳＳ／ＳＳＳ／ＰＢＣＨ信号が送信され得る。
【００４１】
[0048]  ＬＴＥについてのリンクバジェットは、ＵＥからの送信電力が、通常、ｅＮＢからのものよりも大幅に低いため、通常、制限されたＵＬとなる。マクロＢＳ（例えば、ｅＮＢ）の送信電力と比較して、隣接しているＢＳ（例えば、ＬＰＮ）からの送信電力が大幅に低い可能性があり得るため、マクロセルは、ＤＬカバレッジを独占し得る。マクロＢＳおよびＬＰＮを有するＨｅｔＮｅｔについて、多数のＬＰＮを有するとしても、マクロＢＳは、未だ、ＤＬにおける大きな電力差のために、かなりのカバレッジを有し得る。従って、ＭＴＣデバイスは、マクロＢＳとＵＬ送信を関連付け得るが、より近くのＬＰＮが利用可能であり得る。従って、本開示の態様は、最も近いＬＰＮに対してＵＬのアソシエーション（association）を行うための技法を提供する。代替として、特定の態様について、全てのＵＬセルは、ＵＥからの情報を受信し得る。言い換えると、１つのＭＴＣが送信を行う場合、全ての周囲のＬＰＮは、その信号を受信することを試み、共同で復号／組み合わせすることを試み得る。
【００４２】
[0049]  ＭＴＣサブフレームがＭＴＣデバイスによる最も近いセルの発見を可能にし得る間、マクロＢＳの送信電力が低減される。言い換えると、マクロＢＳからの送信電力を低減することによって、ＭＴＣデバイスは、最小のパスロスで「最も近い」ノードへアソシエーションを行うことを可能にし得る。
【００４３】
[0050]  単一キャリアについて、マクロＢＳは、ＭＴＣデバイスが最も近いＢＳを検出するのを可能にするために、異なるＰＳＳ／ＳＳＳ／ＰＢＣＨを有するＭＴＣサブフレーム上でより低い電力を送信し得る。言い換えると、マクロＢＳは、その通常の電力で動作し得る。リリース１１およびそれ以降のＵＥについて、マクロＢＳは、ｅＩＣＩＣ（Enhanced Inter-Cell Interference Coordination：向上されたセル間干渉調整）のような、制限されたサブフレームとしてＭＴＣサブフレームをアドバタイズ（advertise）し得る。従来のＵＥについて、マクロＢＳは、ＭＢＳＦＮサブフレームとしてＭＴＣサブフレームをアドバタイズし、ここで、マクロＢＳは、同じ高いレベルでＣＲＳを送信し得る。ＭＴＣデバイスは、セルのアソシエーションの目的のために、この高電力ＣＲＳを無視し得る。隣接マクロＢＳについて、いくつかの調整が要求される。例えば、最小の１つのインターレースは、ＭＴＣサブフレームに関して低減された／ゼロの電力（zero-power）のために保持され得るが、マクロＢＳごとのサブフレーム（インターレース）の数は、異なり得る。
【００４４】
[0051]  複数のキャリアについて、ＭＴＣデバイスがＵＬの観点からベストなセルを検出し得るように、マクロＢＳは、第１のキャリア（ｆ１）において通常の電力で送信し、少なくともＭＴＣサブフレームに関して、第２のキャリア（ｆ２）において低減された電力（例えば、ＬＰＮと同様のレベル）で送信し得る。
【００４５】
[0052]  図７は、本開示の特定の態様に従った、ＳＦＮエリア７０６内の、マクロＢＳおよび複数のＬＰＮによる共同アップリンク受信を図示する。マクロＢＳおよびＬＰＮは、スケジューリング情報を交換し得る（例えば、Ｘ２サポートが要求される）。結果として、ＭＴＣデバイス送信は、図７に図示されるように、ＬＰＮおよび／またはマクロＢＳを包囲することによって処理され得る。異なるＭＴＣ送信が、時間、周波数、または地理的ロケーション（geolocation）において直交し得る。特定の態様について、ＭＴＣデバイスは、ＵＬ構成および送信のために、仮想セル（virtual cell）ＩＤにシグナリングされ得る。仮想セルＩＤは、受信のためにＬＰＮのグループに対してマッピングされ得る。
【００４６】
[0053]  特定の態様について、ダウンリンク送信のために、同じ信号が複数のＬＰＮから送信され得る（例えば、単一周波数ネットワーク（ＳＦＮ）送信）。例えば、ＬＰＮは、ＭＴＣサブフレームのためにＳＦＮ送信を送信し得る。ＰＳＳ／ＳＳＳ／ＰＢＣＨ／ページング／ＳＩＢは、特にＭＴＣのために設計され得る。信号は、ターゲットＭＴＣグループにマクロおよびＬＰＮのグループからＳＦＮを送信され得る。異なるＳＦＮエリアは、メッセージをブロードキャストしている異なる段階（different degrees of broadcasting messages）を対象にし得る。異なるサブフレームは、異なるＳＦＮエリアでＳＦＮ送信のために使用され得る。例として、サブフレーム１は、ＳＦＮのための複数のマクロセルエリアを含み、サブフレーム２は、ＳＦＮのための１つのマクロセルエリアを含み得る。特定の態様について、異なるグループのユーザを対象にするために、異なるページングエリアがあり得る。同じＳＦＮは、全ての他のＤＬ信号／チャネルにも同様に適用され得る。結果として、ＤＬノイズおよび干渉の大幅な低減となり、エネルギーが全てのＤＬ送信ノードからＭＴＣへの結合を行う。ＳＦＮ送信は、ブロードキャスト情報が必要とされる場合、ソフトウェア／ファームウェア（ＳＷ／ＦＷ）アップデートに適し得る。加えて、ＳＦＮ送信はまた、カバレッジを大幅に改善するために、ユニキャストに関して使用され得る。
【００４７】
[0054]  図８は、本開示の特定の態様に従った、異なるＳＦＮエリアのためのＳＦＮ送信を図示する。上述されるように、異なるＳＦＮエリアは、メッセージをブロードキャストしている異なる段階を対象にし得る。マクロ基地局によって制御されると、ローカルＳＦＮエリア８０２が、ＭＴＣエリアへのダウンリンク送信のために形成され得る。ＳＦＮエリア８０４は、例えば、ユニキャストメッセージのような送信のためのローカルＳＦＮエリアの別の例である。特定の態様について、ＳＦＮエリア８０２および８０４は、ＳＷ／ＦＷのようなブロードキャストメッセージを送信するために、ＳＦＮ送信のためのより大きなエリア８０６を形成するためにグルーピングされ得る。言い換えると、ＳＦＮエリア８０２および８０４から、マクロＢＳおよびＬＰＮがＭＴＣデバイスにブロードキャストメッセージを送信し得る。
【００４８】
[0055]  従来のＵＥのような通常のＵＥと共生するために、従来のＵＥは、ＭＴＣサブフレームのためのＭＢＳＦＮサブフレームにシグナリングされ得る。従来の共通基準信号（ＣＲＳ：common reference signal）は、従来のＵＥが影響されないように、第１のシンボルにおいて送信され得る。同期信号および他の必要なブロードキャスト、並びにＳＩ情報はＭＴＣデバイスのために新規であるため、それらは、従来のＵＥに対しては透過（transparent）であり得る。特定の態様について、ＭＴＣサブフレームは、ＭＢＳＦＮサブフレームのサブセットであり得る。リリース１１のＵＥについて、それらは、ＭＴＣサブフレームのための制限されたサブフレームとしてシグナリングされ、それらのサブフレーム内で従来の信号を送信する必要がない可能性がある。リリース１２およびそれ以降について、通常のＵＥはまた、ＭＴＣ信号およびチャネルが特定され得る場合、ＭＴＣサブフレームについてシグナリングされ得る。ＵＥがＭＴＣおよびＭＢＳＦＮサブフレームの両方をシグナリングされる場合において、以前のルールは、ＭＴＣまたはＭＢＳＦＮが優先されるように導出され得る。
【００４９】
[0056]  ＭＴＣデバイスは、新規のＰＳＳ／ＳＳＳ／ＰＢＣＨ／ＳＩＢ、または新規のセル識別信号に基づいて、セル探索を行い得る。これらの信号が異なるノードからのＳＦＮにおいて送信されるという事実は、ＭＴＣデバイスに対して透過であり得る。これらのＭＴＣサブフレーム上で送信される従来の信号において基準となる規格があり得る（例えば、第１のシンボルにおけるＣＲＳ、ＭＴＣ信号がこれらの信号の周辺でレートマッチ（rate match）し得る）。ＳＦＮがＤＬ送信のために導出される場合に、ＭＴＣ ＵＥに対するページングは、異なるＳＦＮエリアに基づき得る。ＳＷ／ＦＷアップデートのような情報をブロードキャストするためのページングは、より大きなＳＦＮ領域内の多数のＭＴＣデバイスに送られ得る。ＤＬデータはまた、ＳＦＮにおけるより大きなエリア内でブロードキャストされ得る。ユニキャストのためのページングは、異なるＵＥのユニキャストトラフィックがＦＤＭ（周波数分割多重）および／またはＴＤＭ（時分割多重）である場合、より小さなＳＦＮエリアで送られ得る。
【００５０】
[0057]  ページングサブフレームおよびＭＢＳＦＮサブフレームは、通常のＵＥに対して異なり得る。ＭＴＣについて、ページングサブフレームは、ＭＴＣサブフレームのセット全体またはサブセットに変更され得る。ＭＴＣサブフレームが、全体がシグナリングされたＭＢＳＦＮサブフレームのサブセットである場合について、ページングロケーションは、同様にＭＢＳＦＮサブフレームのサブセットであるように変更される必要があり得る。特定の態様について、ページングは、通常のＵＥのシステム情報（ＳＩ）変更の代わりに、ＭＴＣ ＳＩ変更にリンクし得る。従って、ＳＩアップデートは通常のＵＥとは別個であり得る。ＭＴＣデバイスから要求される応答と同様に、ＥＴＷＳ／ＣＭＡＳのためのページングは、通常のＵＥとは異なり、また異なるＭＴＣデバイスともまた異なり得る。
【００５１】
[0058]  特定の態様について、ＢＳのグループは、チャネルのセットを使用して、非ＭＴＣデバイスと通信し、チャネルのセットの低減されたサブセットを使用するＭＴＣデバイスと通信し得る。例えば、ＭＴＣデバイスに関して、特定のチャネルは不要であり、従って、排除され得る。このようなチャネルの例は、ＰＨＩＣＨ、ＰＵＣＣＨ、およびＰＣＦＩＣＨを含む。ＰＨＩＣＨおよびＰＵＣＣＨは、ＣＱＩの報告がなく、またＨＡＲＱの少ない動作（HARQ-less operation）のために、排除され得る。加えて、ＰＣＦＩＣＨを使用する必要がない可能性があり、全てのＭＴＣ ＵＥにブロードキャストされるＰＤＳＣＨの開始ポイントが固定され得る。ＰＳＳ／ＳＳＳ／ＰＢＣＨ（例えば、より大きい平均および捕捉時間、バンドリングのような増加した密度）、ＳＩＢ／ページング（例えば、低減されたペイロード、バンドリング、より大きい平均化（averaging）および捕捉時間）、ＰＤＣＣＨ（例えば、大きいアグリゲーション、ＴＴＩバンドリング、ＳＰＳ）、およびＰＤＳＣＨ／ＰＵＳＣＨ（例えば、ＵＬ ＴＴＩバンドリング、ＤＬ ＴＴＩバンドリング）のように、残りのチャネル／信号が向上され得る。特定の態様において、２０ｄＢの追加のリンクバジェット要求（additional link budget requirements）を満たすために、全てのチャネルは、さらなるリンクバジェットの改善を必要とし得る。
【００５２】
[0059]  ＰＳＳは、３つの異なるシーケンスを有し、ＳＳＳは、１７１の異なるシーケンスを有し得る。共に、ＰＳＳおよびＳＳＳは、５１１の物理セル識別子（ＰＣＩ）を識別し得る。２０ｄＢカバレッジの向上について、シーケンスは、それらがそのまま残され、ＭＴＣデバイスは、リンクバジェットを増加させるために長い平均（long average）に依存し得る。別の例として、より大きい処理の増加（例えば、反復（repetition）、バンドリング（bundling）、または符号化率（code rate）の低減）を有する新規のＰＳＳ／ＳＳＳ／ＰＢＣＨ設計があり得る。別の例として、スパース信号（sparse signal）または休眠モード（dormant mode）を有するＮＣＴについて、ウェイクアップ中のより高密度な（denser）ＰＳＳ／ＳＳＳ／ＰＢＣＨがあり得る。別の例として、新規のＰＳＳ／ＳＳＳは、仮想ＰＣＩのための異なるシーケンス、あるいは複数のセット、またはＰＣＩの制限（restrict PCI）（密度化（densification）のための）を搬送し得る。
【００５３】
[0060]  本明細書で使用される場合、項目のリスト「のうちの少なくとも１つ」に関するフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【００５４】
[0061]  上述された方法の様々な動作は、対応する機能を行うことができる任意の適切な手段によって行われ得る。手段は、回路、特定用途向け集積回路（ＡＳＩＣ）、またはプロセッサを含むがそれらに限定されない、様々なハードウェアおよび／またはソフトウェア／ファームウェアコンポーネントおよび／またはモジュールを含み得る。一般に、図面に図示された動作が存在する場合、これらの動作は、任意の適切な対応するミーンズ・プラス・ファンクション・コンポーネントによって行われ得る。
【００５５】
[0062]  当業者は、情報および信号が、様々な異なる技術および技法のいずれかを使用して表され得ることを理解するだろう。例えば、上記の説明を通して参照され得るデータ、命令、コマンド、情報、信号、ビット、シンボル、およびチップは、電圧、電流、電磁波、磁界あるいは磁気粒子、光学界または光学粒子、あるいはそれら任意の組み合わせによって表わされ得る。
【００５６】
[0063]  当業者はさらに、本明細書の開示と関連して説明されている様々な実例となる論理ブロック、モジュール、回路、アルゴリズムステップが電子ハードウェア、ソフトウェア／ファームウェア、またはそれらの組み合わせとして実装され得ることを理解するだろう。このハードウェアおよびソフトウェア／ファームウェアの互換性を明確に示すために、様々な実例となる構成要素、ブロック、モジュール、回路、およびステップが、一般に、それらの機能の観点から上述されている。このような機能がハードウェアおよび／またはソフトウェア／ファームウェアとして実装されるかどうかは、システム全体に課せられた設計の制約と特定のアプリケーションに依存する。当業者は、各々の特定のアプリケーションに関して、多様な方法で説明された機能を実装し得るが、このような実装の決定は、本開示の範囲からの逸脱を引き起こしていると解釈されるべきではない。
【００５７】
[0064]  本明細書における開示に関連して説明された様々な例示的な論理ブロック、モジュール、および回路は、本明細書において説明された機能を行うように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて実装または実行され得る。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、例えば、ＤＳＰとマイクロプロセッサの組み合わせ、複数のマイクロプロセッサ、ＤＳＰコアと連携した１つまたは複数のマイクロプロセッサ、あるいは任意の他のこのような構成である、コンピューティングデバイスの組み合わせとして実装され得る。
【００５８】
[0065]  本明細書の開示に関連して説明されたアルゴリズムまたは方法のステップは、直接的にハードウェアで、プロセッサによって実行されるソフトウェア／ファームウェアモジュールで、または両者の組み合わせで具現化され得る。ソフトウェア／ファームウェアモジュールは、ＲＡＭメモリ、相転移（phase-change）メモリ、フラッシュメモリ、ＲＯＭメモリ、ＥＰＲＯＭメモリ、ＥＥＰＲＯＭメモリ、ＰＣＭ（phase change memory：相転移メモリ）、レジスタ、ハードディスク、リムーバルディスク、ＣＤ−ＲＯＭ、または当該技術分野において周知の任意の他の形状の記憶媒体内に存在し得る。例示的な記憶媒体は、プロセッサが記憶媒体から情報を読み取り、および記憶媒体に情報を書き込むことができるように、プロセッサに結合される。代替的に、記憶媒体は、プロセッサに一体化され得る。プロセッサおよび記憶媒体は、ＡＳＩＣ内に存在し得る。ＡＳＩＣは、ユーザ端末内に存在し得る。代替的に、プロセッサおよび記憶媒体は、ユーザ端末内にディスクリートコンポーネントとして存在し得る。
【００５９】
[0066]  １つまたは複数の例示的な設計において、説明された機能は、ハードウェア、ソフトウェア／ファームウェア、またはそれらの組み合わせで実現され得る。ソフトウェア／ファームウェアで実装される場合、これらの機能は、コンピュータ読み取り可能な媒体上で、１つまたは複数の命令またはコードとして送信または記憶され得る。コンピュータ読み取り可能な媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の利用可能な媒体であり得る。例として、また限定されないが、このようなコンピュータ読み取り可能な媒体は、ＲＡＭ、ＲＯＭ、ＥＥＰＲＯＭ、ＣＤ−ＲＯＭ、あるいは他の光学ディスクストレージ、磁気ディスクストレージあるいは他の磁気ストレージデバイス、あるいは、命令またはデータストラクチャの形態において望まれるプログラムコード手段を記憶あるいは搬送するために使用されることができ、且つ汎用または専用コンピュータ、あるいは、汎用または専用プロセッサによってアクセスされることができる、任意の他の媒体を備えることができる。また、任意の接続は、コンピュータ読み取り可能な媒体と厳密には称される。例えば、ソフトウェア／ファームウェアが、ウェブサイト、サーバ、あるいは、同軸ケーブル、ファイバ光ケーブル、ツイストペア、デジタル加入者ライン（ＤＳＬ）、または赤外線、無線、およびマイクロ波のようなワイヤレス技術を使用している他の遠隔ソースから送信される場合、同軸ケーブル、ファイバ光ケーブル、ツイストペア、ＤＳＬ、あるいは、赤外線、無線、およびマイクロ波のようなワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は通常、レーザーを用いて光学的にデータを再生する。上記の組み合わせもまた、コンピュータ読み取り可能な媒体の範囲内に含まれるべきである。
【００６０】
[0067]  本開示の先の説明は、いずれの当業者も、本開示を実行または使用することを可能にするために提供される。本開示に対する様々な変更は、当業者に対しては容易に明らかであり、本明細書で定義された包括的な原理は、本開示の精神または範囲から逸脱することなく他の変形例に適用され得る。よって、本開示は、本明細書で説明される例および設計に限定されることは意図しておらず、本明細書に開示された原理および新規な特徴と一致する最も広い範囲が与えられるべきである。
【図１】
2015531562.tif 000003
【図２】
2015531562.tif 000004
【図３】
2015531562.tif 000005
【図４】
2015531562.tif 000006
【図５】
2015531562.tif 000007
【図６Ａ】
2015531562.tif 000008
【図６Ｂ】
2015531562.tif 000009
【図７】
2015531562.tif 000010
【図８】
2015531562.tif 000011
【国際調査報告】
2015531562.tif 000012
2015531562.tif 000013
2015531562.tif 000014